(57)【特許請求の範囲】
【請求項１】
内部の透視が可能な、水又は水を主成分とする液体を収容する胴部と、上部に構成した吐出口部と、下部に形成した塞止部と、を備えた容器本体と、前記塞止部の外表面に形成されたねじ溝部と、前記塞止部の内部に配設された、水素ガスを前記容器本体の内部の水又は水を主成分とする液体中に溶解させるべく送り込むための逆止弁を備えた並配列の複数個の水素水生成用ポットと、
水素水生成用ポットとは別体に配設され、前記ねじ溝部に螺合するねじ溝部を備えた凹みを備えて前記複数個の水素水生成用ポットを立脚して並配列させ、前記複数個の水素水生成用ポットとは反対側に、ねじ溝部を備えた突起部を備え、内部に、複数個の水素水生成用ポットに各連通する水素通路孔が形成された台座と、
前記突起部に備えられたねじ溝部に螺合するねじ溝部を備えた凹み部と該凹み部に形成された水と反応して水素を発生する水素発生剤を収納する前記薬槽とを備えたキャップと、からなること
を特徴とする水素水生成装置。
【請求項２】
請求項１に記載された水素水生成装置において、
前記塞止部の外表面に形成されたねじ溝部と前記台座に形成された、当該ねじ溝部に螺合する複数のねじ溝部とのそれぞれの螺合形態と、前記台座の突起部に形成されたねじ溝部と前記キャップの凹み部に形成された、当該ねじ溝部に螺合する、ねじ溝部との螺合形態とが同一の形態とされたこと
を特徴とする水素水生成装置。
【請求項３】
請求項１に記載された水素水生成装置において、
前記塞止部の外表面に形成されたねじ溝部と前記台座に形成された、当該ねじ溝部に螺合する複数のねじ溝部とのそれぞれの螺合形態と、前記台座の突起部に形成されたねじ溝部と前記キャップの凹み部に形成された、当該ねじ溝部に螺合する、ねじ溝部との螺合形態とが異なる形態とされたこと
を特徴とする水素水生成装置。
【請求項４】
請求項１から３のいずれかに記載された水素水生成装置において、複数個の水素水生成用ポットが、前記台座上に互いに等間隔の林立状態で、水素ガスが供給されることを特徴とする水素水生成装置。
【請求項５】
請求項１から４のいずれかに記載された水素水生成装置において、複数個の水素水生成用ポットが、前記台座から個別に切離可能であることを特徴とする水素水生成装置。
【請求項６】
請求項２に記載された水素水生成装置において、前記台座から切離されたキャップが、前記台座から切離された前記塞止部にねじ溝部を介して接合可能であることを特徴とする水素水生成装置。
【請求項７】
請求項１から６のいずれかに記載された水素水生成装置において、前記キャップが、前記台座から切離された状態で、水素ボンベから延びる管が前記台座部に形成された水素通路孔に接合可能であることを特徴とする水素水生成装置。
【請求項８】
内部の透視が可能な、水又は水を主成分とする液体を収容する胴部と、上部に構成した吐出口部と、下部に形成した塞止部と、を備えた容器本体と、前記塞止部の外表面に形成されたねじ溝部と、前記塞止部の内部に配設された、水素ガスを前記容器本体の内部の水又は水を主成分とする液体中に溶解させるべく送り込むための逆止弁を備えた並配列の複数個の水素水生成用ポットと、
水素水生成用ポットとは別体に配設され、前記ねじ溝部に螺合するねじ溝部を備えた凹みを備えて前記複数個の水素水生成用ポットを立脚して並配列させ、前記複数個の水素水生成用ポットとは反対側に、水素通路孔口が形成され、内部に、複数個の水素水生成用ポットに各連通する水素通路孔が形成された台座と、
該水素通路孔口に連結される水素ガス源と、からなること
を特徴とする水素水生成装置。
【請求項９】
請求項８に記載された水素水生成装置において、前記水素源が、水素ガスボンベであることを特徴とする水素水生成装置。
【発明の詳細な説明】
【技術分野】
【０００１】
本発明は、自由に、かつ簡便に、いつでもどこでも、飲料水、コーヒー、紅茶又は緑茶等の水を主成分とする種々の液体に水素を含有させた水素水を生成することができる水素水生成用ポットに、生成された水素を送給する水素水生成装置に関する。  
【背景技術】
【０００２】
飲料用水素水の生成器としては、筒型容器の下部に二つの電極を配し、該筒型容器中に収容した水を電気分解して水素を生成し、これを該筒状容器中の水に溶解させて水素水を生成するそれが市販されている。
【０００３】
また、水と反応して水素を発生する水素発生剤を用いて、生成した水素を直接的にポット内の水に接触される構造の水素水生成用ポットが市販されている。
【０００４】
特許文献１は、ポット型飲料用水素水の生成器に関し、
これは、原水を貯留する生成水用ポット部と、該生成水用ポット部をその上に載せて電気分解用の電力を供給する台座部とからなり、
前記生成水用ポット部は、縦長の水槽室を設けると共に、その底部に容積の小さな反応室を配し、該水槽室と該反応室との間には連通口を形成し、該反応室には該水槽室に臨んで水平状態に維持した高分子膜を配すると共に、該高分子膜の上下を有孔の金属板又は金属網体で形成した電極板で挟み、かつ該電極板と上下に配した電極端子との間に電導性のスプリングを介設し、該上下に配した電極端子を前記台座部の輪状電極コネクタ及び点状電極コネクタに対峙状態に配設してなり、
他方、前記台座部には、前記輪状電極コネクタと前記点状電極コネクタとを設けてなるものである。
【０００５】
本願出願人は、先に飲料用水素水生成用ポットについて特許を取得した。（特許第５４６２４２６号）特許文献２として示す。
【０００６】
特許文献２には、内部の透視が可能な、水又は水を主成分とする液体を収容する容器本体と、
前記容器本体の下部上層に構成した、下部下層の薬槽内で発生した水素ガスを前記容器本体の内部の水又は水を主成分とする液体中に溶解させるべく送り込むための逆止め弁を備えたガス通路と、
前記容器本体の下部下層に構成した、水と反応して水素を発生する水素発生剤を収納する前記薬槽と、
前記容器本体の上部に構成した吐出口部と、
前記吐出口部に着脱自在に外装する蓋体であって、該吐出口部から取り外すのに先立って容器本体内を減圧することが可能に構成した蓋体と、
で構成した携帯用の水素水生成用ポットが記載されている。
【０００７】
特許文献３には、気体製造工程で製造された気体、例えば水素をナノバルブ処理装置に供給することが記載されている。
【０００８】
特許文献４には、水素ガスの微細気泡を多量に含有する水素水を連続して製造することが記載されている。
【先行技術文献】
【特許文献】
【０００９】
【特許文献１】特開２０１２−２１７８６８号公報
【特許文献２】特許第５４６２４２６号公報
【特許文献３】特開２０１４−１３９２２５号公報
【特許文献４】特許第３９８４２７９号公報
【発明の概要】
【発明が解決しようとする課題】
【００１０】
特許文献１に記載された水素水生成方法では、水素水生成に要する時間を多く必要となし、装置全体についてのコストが高くなり、飲料水としての水素水を生成するのに適していない。
【００１１】
特許文献２に記載された水素水生成方法は、水素を発生する水素発生剤が容器本体の外部に設置されるという特徴があって、水素発生剤によって生成された水素水が汚染されるという問題がないが、容器ごとに水素発生剤を設置するものであり、大家族や多数のアスリート集合しているような場合に、水素水を提供するのに不便である。
【００１２】
特許文献３、特許文献４に記載された技術は、水素を含有した飲用水を生成するものではない。
【００１３】
本発明は、従来技術の問題点を解決し、ミネラル水や水道水等の飲料水に限らず、コーヒー、各種ジュース類又は茶類等の水又は水を主成分とする液体を原水として、飲料用水素水を、大家族や多数のアスリート集合しているような場合にあっても、個別に複数の水素水生成用ポットに短時間で提供することのでき、かつ水素水生成用ポットが一つの水素水生成用ポットとしても独立機能し得るようにした水素水生成装置を提供することを目的とする。
【課題を解決するための手段】
【００１４】
本発明の水素水生成装置は、内部の透視が可能な、水又は水を主成分とする液体を収容する胴部と、上部に構成した吐出口部と、下部に形成した塞止部と、を備えた容器本体と、前記塞止部の外表面に形成されたねじ溝部と、前記塞止部の内部に配設された、水素ガスを前記容器本体の内部の水又は水を主成分とする液体中に溶解させるべく送り込むための逆止弁を備えた並配列の複数個の水素水生成用ポットと、
水素水生成用ポットとは別体に配設され、前記ねじ溝部に螺合するねじ溝部を備えた凹みを備えて前記複数個の水素水生成用ポットを立脚して並配列させ、前記複数個の水素水生成用ポットとは反対側に、ねじ溝部を備えた突起部を備え、内部に、複数個の水素水生成用ポットに各連通する水素通路孔が形成された台座と、
前記突起部に備えられたねじ溝部に螺合するねじ溝部を備えた凹み部と該凹み部に形成された水と反応して水素を発生する水素発生剤を収納する前記薬槽とを備えたキャップと、からなること
を特徴としている。
【００１５】
本発明の水素水生成装置は、また、水素水生成装置において、
前記塞止部の外表面に形成されたねじ溝部と前記台座に形成された、当該ねじ溝部に螺合する複数のねじ溝部とのそれぞれの螺合形態と、前記台座の突起部に形成されたねじ溝部と前記キャップの凹み部に形成された、当該ねじ溝部に螺合する、ねじ溝部との螺合形態とが同一の形態とされたこと
を特徴としている。
【００１６】
本発明の水素水生成装置は、また、
前記塞止部の外表面に形成されたねじ溝部と前記台座に形成された、当該ねじ溝部に螺合する複数のねじ溝部とのそれぞれの螺合形態と、前記台座の突起部に形成されたねじ溝部と前記キャップの凹み部に形成された、当該ねじ溝部に螺合する、ねじ溝部との螺合形態とが異なる形態とされたこと
を特徴としている。
【００１７】
本発明の水素水生成装置は、また、複数個の水素水生成用ポットが、前記台座上に互いに等間隔の林立状態で、水素ガスが供給されることを特徴としている。
【００１８】
本発明の水素水生成装置は、また、複数個の水素水生成用ポットが、前記台座から個別に切離可能であることを特徴としている。
【００１９】
本発明の水素水生成装置は、また、前記台座から切離されたキャップが、前記台座から切離された前記塞止部にねじ溝部を介して接合可能であることを特徴としている。
【００２０】
本発明の水素水生成装置は、また、前記キャップが、前記台座から切離された状態で、水素ボンベから延びる管が前記台座部に形成された水素通路孔に接合可能であることを特徴としている。
【００２１】
本発明の水素水生成装置は、また、内部の透視が可能な、水又は水を主成分とする液体を収容する胴部と、上部に構成した吐出口部と、下部に形成した塞止部と、を備えた容器本体と、前記塞止部の外表面に形成されたねじ溝部と、前記塞止部の内部に配設された、水素ガスを前記容器本体の内部の水又は水を主成分とする液体中に溶解させるべく送り込むための逆止弁を備えた並配列の複数個の水素水生成用ポットと、
水素水生成用ポットとは別体に配設され、前記ねじ溝部に螺合するねじ溝部を備えた凹みを備えて前記複数個の水素水生成用ポットを立脚して並配列させ、前記複数個の水素水生成用ポットとは反対側に、水素通路孔口が形成され、内部に、複数個の水素水生成用ポットに各連通する水素通路孔が形成された台座と、
該水素通路孔口に連結される水素ガス源と、からなること
を特徴としている。
【００２２】
本発明の水素水生成装置は、また、前記水素源が、水素ガスボンベであることを特徴としている。
【発明の効果】
【００２３】
本発明によれば、水素水生成用ポットとは別体に配設され、前記ねじ溝部に螺合するねじ溝部を備えた凹みを備えて前記複数個の水素水生成用ポットを立脚して並配列させ、前記複数個の水素水生成用ポットとは反対側に、ねじ溝部を備えた突起部を備え、内部に、複数個の水素水生成用ポットに各連通する水素通路孔が形成された台座、あるいは水素水生成用ポットとは別体に配設され、前記ねじ溝部に螺合するねじ溝部を備えた凹みを備えて前記複数個の水素水生成用ポットを立脚して並配列させ、前記複数個の水素水生成用ポットとは反対側に、水素通路孔口が形成され、内部に、複数個の水素水生成用ポットに各連通する水素通路孔が形成された台座を形成することが出来、この台座を介して水素ガスを水素水生成用ポットに供給することが出来る。
【００２４】
また、前記塞止部の外表面に形成されたねじ溝部と前記台座部に形成された、当該ねじ溝部に螺合する複数のねじ溝部とのそれぞれの螺合形態と、前記台座部の突起部に形成されたねじ溝部と前記キャップの凹み部に形成された、当該ねじ溝部に螺合する、ねじ溝部との螺合形態とが同一の形態とすることで、水素水生成用ポットの汎用性を増すことが出来る。
【００２５】
これによれば、従来技術の問題点を解決し、ミネラル水や水道水等の飲料水に限らず、コーヒー、各種ジュース類又は茶類等の水又は水を主成分とする液体を原水として、飲料用水素水を、大家族や多数のアスリートが集合しているような場合にあっても、同時に水素水を生成した複数の水素水生成用ポットの各々を一つの水素水生成用ポットとしても独立機能し得るようにして、短時間で提供することのできる水素水生成装置を提供することができる。
【図面の簡単な説明】
【００２６】
【図１】本発明の実施例の形態を示す図。
【図２】本発明の他の実施例の形態を示す図。
【発明を実施するための形態】
【００２７】
本発明を実施するための形態を、図面を参照しながら詳細に説明する。
【実施例１】
【００２８】
図１は、本発明の実施例１である水素水生成装置の形態を示す図である。
【００２９】
図１において、水素水生成装置１００は、複数個の水素水生成用ポット１１と、台座２１と、キャップ３１とからなる。
【００３０】
水素水生成用ポット１１は、容器本体１を備え、容器本体１は、内部の透視が可能な、透明なプラスチックで製作された、水又は水を主成分とする液体を収容する胴部２と、上部に構成した、胴部２に一体化された吐出口部３と、下部に形成され、胴体２に一体化されたブロック状の塞止部４と、を備えて構成される。胴体２と塞止部４とは、一体成型されてもよい。容器本体１は、吐出口部３を塞止する上キャップ５を備え、塞止部４の外表面に形成されたねじ溝部６と、塞止部４の内部に構成された、水素ガスを容器本体１の内部の水又は水を主成分とする液体中に溶解させるべく送り込むための逆止め弁７を備える。
【００３１】
塞止部４は、下方内部に段差の形成された凹み部８が形成される。凹み部８は、下方ほど広がりが大きく、上方に行くにしたがって狭い形状とされ、最上の最も狭い空間に上述した逆止め弁７が上に向けて設けられる。最上側の最も狭い空間は、塞止部４に設けた細孔１０を介して胴部２に内部に連通する。逆止弁７によって、胴部２に内部に収容された水又は水を主成分とする液体が逆流することがない。逆止弁７は、下部の円筒状基部とその上端から上方に向かって円錐状に延びる弾性弁部とからなり、下方部が開放され、下方から一定圧を越えるガス圧が掛かると、弾性弁部の先端が開いて水素ガスが上方に向かって通過可能であり、他方、上方から容器本体１中の水等による水圧が掛かっても開かないように構成された弁部材である。
【００３２】
凹み部８には、側面に設けたねじ溝によって保持された逆止弁押さえ１９が設けられ、逆止弁押さえ１９には、逆止弁７に連通する細孔１２が設けられる。逆止弁７の下端にフイルタ１３が設けられ、その下側に逆止弁押さえ１９によって受けられた、フイルタ１３及び逆止弁７を保持するカラー１４が設けられる。
【００３３】
吐出口部３には、内表面にねじ溝が設けられ、このねじ溝は、上キャップ５の外表面に設けられたねじ溝と螺合することで、上キャップ５が吐出口部３を、平パッキング１５を介して塞止する。上キャップ５を覆うようにして上部ゴムキャップ１６が設けられる。
【００３４】
胴体２の外表面であって、上方部に水又は水を主成分とする液体を適切に収納するのに便利なように収納面表示線１７が設けてある。収納面表示線１７から下端までの範囲で、例えば３５０ｍｌの水を収容することができる
この構成は、上述した特許文献２に詳しく記載されている。本実施例は、特許文献２に詳しく記載された水素水生成用ポット１を好ましく採用することが出来る。
【００３５】
水素水生成用ポット１１は、複数個、例えば２〜１０個用いられ、複数個の水素水生成用ポット１１は、台座２１上に並行配列される。本実施例では、２個の水素水生成用ポット１１が台座２１上に並行配列されているが、この例に限定されない。以下、２個の水素水生成用ポット１１を台座２１上に並行配列された例について説明する。
【００３６】
台座２１は、水素水生成用ポット１１と別体構成であり、２個の水素水生成用ポット１１を上面２２から立脚させて保持することが出来る。台座２１は、台形態をなし、上面２２を備えた平板状の台座部２３と足部２４とからなる。台座２１は、水素水生成用ポット１１に対応した数の凹み部２５が形成され、この凹み部内部の内面にねじ溝部２６が形成される。
【００３７】
このねじ溝部２６は、上述した塞止部４に形成されたねじ溝部６に螺合する。この螺合形態によって、水素水生成用ポット１１が台座部２３の上面２２から立脚、上面２２に固定される。塞止部４の下端と凹み部２５の上面との間に、Oリング２７が設けられる。
【００３８】
また、台座２１は、台座部２３の下面２８から突出する突起部２９が形成される。この突起部２９の外表面にはねじ溝部３１が形成される。また、台座部２３には、その内部に二股に分岐された細孔が設けられる。細孔は、下面２８に露出する細孔３２と二股状の細孔３３からなり、先端が突起部２９の先端端面に開口する。二股状の細孔３３は、同一形状とされ、凹み部２５の底面に形成された小さな空間部３４に連通する。二股状の細孔３３に流量を制御する手段が設けられてもよい。空間部３４は、上述した凹み部８の最大幅よりも広い幅を有して、凹み部８に連通する。細孔３３は、逆止弁７の設けられた水素ガス通路に連通する。
【００３９】
このように、台座２１が、水素水生成用ポットと別体の台座部２３と、台座部２３の上面に形成された、ねじ溝部２６を備えた複数の凹み部２５と、台座部２３に形成された、ねじ溝部３１を備えた突起部２９と、を備える。
【００４０】
突起部２９に被せるようにしてキャップ４１が設けられる。
【００４１】
キャップ４１は、キャップ形状をなし、上キャップ５に対抗配設したもので、下キャップとしての機能を有し、上キャップ５に対して下キャップと呼ぶことが出来るが、この下キャップは、台座２２を介しての配置となる。キャップ４１は、２段構成の凹み部４２が形成され、上側凹み部４２Aの内部内面にねじ溝部４３が形成される。このねじ溝部４３は、上述した台座部２３の突起部２９に形成されたねじ溝部３１に螺合する。したがってキャップ４１は、突起部２９に取り付け自在とされ、取り外すことが可能とされる。
【００４２】
下側の凹み部４２Bは、薬槽となる。以後、薬槽４２Bと称する。この薬槽４２Bは、水と反応して水素を発生する水素発生剤４５を収納する。この薬槽４２Bが、水素源となる。この例の場合、台座に付着させる下キャップに設けた薬槽４２Bが、水素源となる。上側凹み部４２Aの底面と突起部２９の先端面との間には、Oリング４６が設けられる。水素発生剤４５は、水素水生成ポット１１の本数が使用した量に比べて増量した量とすることが望ましいが、水素水生成ポット１１の本数が多い場合には、本数に対応した量よりも少なめとされる。水素水生成ポット１１の本数が１本の時と同じ量の水素発生剤が使用されるようにしてもよい。
【００４３】
細孔３３は、下側の凹み部４２Bに連通する。これによって、薬槽４２Bは、逆止弁７の設けられた水素ガス通路に連通する。
【００４４】
水素発生剤４５は、水と反応して水素ガスを発生する種々のそれを自由に採用することができる。できるだけ短時間で反応が進むタイプのそれが好ましい。この例では、アルミニウムと酸化カルシウムとの混合物を採用した。マグネシウムを加えてもよい。
【００４５】
この水素発生剤は、いずれも微粉末状の酸化カルシウム（ＣａＯ）及びアルミニウム（Ａｌ）と、を混合して構成したものであり、更にマグネシウム（Ｍｇ）を付加するとが出来る。これら混合物の水素発生剤が包装に納めた態様とされ、１〜２ｇの水が加えられると発熱反応を伴って、水素ガスが発生する。
【００４６】
この水素発生剤４５は、水素発生剤のほぼ１．５倍量の水が加えられると、酸化カルシウムが水と反応して発熱し、その後、水酸化カルシウムを生成する。微粉末状のアルミニウムも水と反応して水酸化アルミニウム及び水素を生成し、発熱する。なお、微粉末状のアルミニウムは、前記水酸化カルシウムの生成によって、加えられた水が塩基性の水溶液になると、水と反応して水酸化アルミニウム及び水素を発生する別の反応も生じると思われる。こうして加えられた水が高温になると、前記マグネシウムは、当該高温の水と反応して水酸化マグネシウム及び水素を生成する。以上のようにして、この水素発生剤４５は、水の添加を受けると、大量の水素ガスを発生する。
【００４７】
従ってこの水素水生成装置１００によれば、水素水を作成する場合は、まずその薬槽４２Bに前記水素発生剤４５を充填、あるいは収納し、容器本体１中に水又はコーヒー等の水素水にすることを希望する水又は水を主成分とする液体を入れる。この例では、ミネラル水を入れた。
【００４８】
水素発生剤４５は、キャップ４１を外してその上面の薬槽４２B中に装入し、その上で、再度キャップ４２Bを突起部２９に取り付ける。
【００４９】
このように、キャップ４１は、ねじ溝部４３を備えた凹み部４２と、凹み部４２に形成された水と反応して水素を発生する水素発生剤４５を収納する前記薬槽４２Bとを備える。
【００５０】
台座２１が、包装に納めた水素発生剤４５を収納する薬槽４２Bと水素ガス通路とを連通させる細孔構成の水素通路孔を備える。
【００５１】
塞止部４の外表面に形成されたねじ溝部６と台座部２１に形成された、当該ねじ溝部６にそれぞれ螺合する複数のねじ溝部２６とのそれぞれの螺合形態と、台座部２３の突起部２９に形成されたねじ溝部３１キャップの凹み部４２に形成された、当該ねじ溝部３１に螺合する、ねじ溝部４３との螺合形態とが同一の形態とされる。当該ねじ溝部６にそれぞれ螺合する複数のねじ溝部２６とのそれぞれの螺合の直径L０と、台座部２３の突起部２９に形成されたねじ溝部３１キャップの凹み部４２に形成された、当該ねじ溝部３１に螺合する、ねじ溝部４３との螺合形態この螺合の直径L0が同一とされた。
【００５２】
台座２１から切離されたキャップ４１が、台座２１から切離された塞止部４にねじ溝部機構を介して接合可能になる。したがって、水素水生成用ポット１を単独にても、薬槽４２Bを接続することができ、単独にても使用可能になる。水素水生成用ポット１の汎用性が向上する。ミネラル水や水道水等の飲料水に限らず、コーヒー、各種ジュース類又は茶類等の水又は水を主成分とする液体を原水として、飲料用水素水を、大家族や多数のアスリート集合しているような場合にあっても、個別に携帯用の水素水生成用ポットに短時間で提供することのでき個別に複数の水素水生成用ポットに短時間で提供することのでき、かつ水素水生成用ポットが一つの水素水生成用ポットとしても独立機能し得るようにした水素水生成装置を提供することができる。
【００５３】
このように形成された水素水形成装置１００に、水素ボンベ５１から水素ガスを投入するようにすることができる。
【００５４】
水素ボンベ５１に水素ホース５２が取り付けられる。水素ホース５２に、バルブ５４及び減圧弁５５が取り付けられる。キャップ４１が取り外され、水素ホース５２の先端部を細孔３２に固着具（図示せず）を介して取り付けるようにする。このようにすることで、減圧された水素ガスを水素水生成用ポット１に供給することが出来る。すなわち、薬剤による水素供給と水素ボンベによる水素供給を併用する構成とすることが出来る。
【００５５】
このように形成された水素水形成装置１００は、次のような特徴のある構成を持つ。
【００５６】
台座部２３の突起部２９が、水素水生成用ポット１とは反対側に突起する。
【００５７】
複数個の水素水生成用ポットが、同一形態に構成され、台座２１上に互いに等間隔で林立する。
【００５８】
複数個の水素水生成用ポット１が、台座４から個別に切離可能である。
【００５９】
台座２１から切離されたキャップ４１が、台座２１から切離された塞止部４にねじ溝部機構を介して接合可能である。
【００６０】
キャップ４１が、台座から切離されると、水素ボンベから延びる管が前記台座部に形成された水素通路孔に接合可能である。
【００６１】
ミネラル水は、上キャップ５を容器本体１の吐出口部３から取り外し、露出した吐出口部３の上端開口から注入する。その後、上キャップ５を吐出口部３に外装する。上キャップ５は、そのねじ溝部を吐出口部３のねじ溝部に螺合させて外装状態を固定する。
【００６２】
このように薬槽４２B中にミネラル水が注入されると、これに充填されている水素発生剤４５がその水と急速に反応して水素ガスを発生することになる。ここで発生した水素ガスは、薬槽４２B、ガス通路の逆止弁１４より下方側に充満することになる。水素ガスの引き続く発生により、その中のガス圧が一定圧を越えるに至ると、水素ガスは、ガス気泡となって逆止弁１４を通じてガス通路上方側に移動し、ガス通路が繋がる容器本体１中のミネラル水に溶解しながら残余のそれが浮上して行くことになる。併設された水素水生成用ポット１に対して若干の時間差を生じることがあるが、次々に水素水生成用ポット１に導入されることになる。
【００６３】
この例では、プラスチックの小容器を別途用意し、前記水素発生剤４５に添加する水素発生用の水として、少容器に水溶液を充填して水素発生剤４５に添加した。
【００６４】
なお、この実施例の携帯用の水素水生成用ポットによれば、ミネラル水や水道水の他に、コーヒーや茶類又はジュース類若しくは各種スポーツドリンク等をも水素水生成用の原水として採用することが可能である。
【００６５】
本実施例によれば、水素水生成用ポットとは別体に配設され、水素水生成用ポットに形成されたねじ溝部に螺合するねじ溝部を備えた凹みを備えて複数個の水素水生成用ポットを立脚して並配列させ、複数個の水素水生成用ポットとは反対側に、ねじ溝部を備えた突起部を備え、内部に、複数個の水素水生成用ポットに各連通する水素通路孔が形成された台座が設けられる。そして、前記突起部に備えられたねじ溝部に螺合するねじ溝部を備えた凹み部と該凹み部に形成された水と反応して水素を発生する水素発生剤を収納する前記薬槽とを備えたキャップが設けられて、水素水生成装置が形成される。
【実施例２】
【００６６】
図２は、本発明の実施例２である水素水生成装置１００の形態を示す図である。実施例２である水素水生成装置１００の形態は、実施例１である水素水生成装置１００の形態とほとんど同じである。よって、同一部分についての説明は、実施例１である水素水生成装置１００の形態の説明を援用するものとのとして、異なる部分について説明する。
【００６７】
突起部２９が台形部２３から先に実施例と同じ方向に突出することは同じであるが、この例の突出部は、先の実施例の突起部に比べて大径に形成されている。
【００６８】
塞止部４の外表面に形成されたねじ溝部６と台座部２１に形成された、当該ねじ溝部６にそれぞれ螺合する複数のねじ溝部２６とのそれぞれの螺合形態と、台座部２３の突起部２９に形成されたねじ溝部３１キャップの凹み部４２に形成された、当該ねじ溝部３１に螺合する、ねじ溝部４３との螺合形態とが異形態とされる。当該ねじ溝部６にそれぞれ螺合する複数のねじ溝部２６とのそれぞれの螺合の直径L０と、台座部２３の突起部２９に形成されたねじ溝部３１キャップの凹み部４２に形成された、当該ねじ溝部３１に螺合する、ねじ溝部４３との螺合形態この螺合の直径L１が異なり、直径L１は、直径L０に比べて大径とされた。薬槽４２Bも先の実施例に比べて大きく形成され、水素発生剤４５の大きさも先の実施例に比べて大きなものが使用される。このようにすることで、水素水生成用ポット１１が複数とされても、水素水生成性能を同一なものとすることが可能になる。
本実施例によれば、前記塞止部の外表面に形成されたねじ溝部と前記台座に形成された、当該ねじ溝部に螺合する複数のねじ溝部とのそれぞれの螺合形態と、前記台座の突起部に形成されたねじ溝部と前記キャップの凹み部に形成された、当該ねじ溝部に螺合する、ねじ溝部との螺合形態とが異なる形態とされた水素水生成装置が提供される。
【実施例３】
【００６９】
実施例３は、図１及び図２に図示される。実施例１あるいは実施例２では、水素ガスボンベ５１を付随的な水素ガス供給源として説明したが、１個の独立した水素ガス供給源とすることができる。また、独立した薬槽を一つの容器として構成し、水素ガスボンベ５１に代えて用いて、、水素ガス管５２に接続することができる。
【００７０】
この場合、台座２２は、水素水生成用ポットとは別体に配設され、前記ねじ溝部に螺合するねじ溝部を備えた凹みを備えて前記複数個の水素水生成用ポットを立脚して並配列させ、前記複数個の水素水生成用ポットとは反対側に、水素通路孔口が形成され、内部に、複数個の水素水生成用ポットに各連通する水素通路孔が形成された構成となる。
【００７１】
このようにして、前記水素源が、水素ガスボンベであることを特徴とする水素水生成装置が提供される。
【００７２】
本実施例によれば、水素水生成用ポットとは別体に配設され、水素水生成用ポットに形成されたねじ溝部に螺合するねじ溝部を備えた凹みを備えて前記複数個の水素水生成用ポットを立脚して並配列させ、前記複数個の水素水生成用ポットとは反対側に、ねじ溝部を備えた突起部を備え、内部に、複数個の水素水生成用ポットに各連通する水素通路孔が形成された台座、あるいは水素水生成用ポットとは別体に配設され、前記ねじ溝部に螺合するねじ溝部を備えた凹みを備えて前記複数個の水素水生成用ポットを立脚して並配列させ、前記複数個の水素水生成用ポットとは反対側に、水素通路孔口が形成され、内部に、複数個の水素水生成用ポットに各連通する水素通路孔が形成された台座を形成することが出来、この台座を介して水素源からの水素ガスを水素水生成用ポットに供給することが出来る。
【符号の説明】
【００７３】
１…容器本体、２…胴体、３…吐出部、４…塞止部、５…上キャップ、６…塞止部４に設けたねじ溝部、７…逆止弁、８…塞止部４に設けた凹み部、１１…水素水生成用ポット、２１…台座、２２…台座上面、２３…台座部、２４…足部、２５…台座４に設けた凹み部、２６…台座４に設けたねじ溝部、２９…台座４に設けた突起部、３１…台座４に設けたねじ溝部、３２，３３…細孔、４１…キャップ（下キャップ）、４２…キャップ４１に設けた凹み部、４２B…薬槽、４３…キャップ内部内面に設けたねじ溝部、４５…薬剤（水素発生剤）、５１…水素ボンベ、５２…水素ガス管、１００…水素水生成装置。
【要約】
【課題】飲料用水素水を、大家族や多数のアスリート集合しているような場合にあっても、個別に携帯用の水素水生成用ポットに短時間で提供することのでき個別に複数の水素水生成用ポットに短時間で提供することのでき、かつ水素水生成用ポットが一つの水素水生成用ポットとしても独立機能し得るようにした水素水生成装置を提供する。
【解決手段】塞止部の外表面に形成されたねじ溝部と台座部に形成された、当該ねじ溝部に螺合する複数のねじ溝部とのそれぞれの螺合形態と、台座部の突起部に形成されたねじ溝部とキャップの凹み部に形成された、当該ねじ溝部に螺合する、ねじ溝部との螺合形態とが同一または異なる形態とされた。 
【選択図】図１【図１】
0005899392.tif 000002
【図２】
0005899392.tif 000003